(57)【要約】      （修正有）【課題】物品を梱包するための梱包部材を、物品が取り出された後もコンパクトに折り畳んで保管する。【解決手段】梱包部材１には、四角筒形状に形成された本体１０の第１及び第２側板の境界線として、本体の対角位置にある２本の第１の縦折線２１と、第１の縦折線２１とは別の対角位置にある２本の第２の縦折線２２とが設けられ、第１側板１１には、その第１の縦折線２１から、第１または第２側板のうちの左右の幅寸法が小さい方の側板の当該幅寸法よりもさらに小さい所定間隔だけ離間した位置に、第１の縦折線２１と平行な補助縦折線２４が設けられている。本体１０の収容時用形状は、第１の縦折線２１と第２の縦折線２２とに基づいて折り畳んで四角筒形状に形成され、本体１０の保管時用形状は、収容時用形状に比べて扁平になるように、第１の縦折線２１と補助縦折線２４とに基づいて折り畳んで扁平四角筒形状に形成される。【選択図】図１
2009035273.tif 000002
【特許請求の範囲】
【請求項１】
梱包対象である物品を収容するときの収容時用形状と、前記物品を収容せずに保管されるときの保管時用形状との間で、形状変更可能に構成された梱包部材を備える包装箱であって、
前記梱包部材には、対向配置された１対の第１側板とこれらを繋ぐように対向配置された１対の第２側板とにより四角筒形状に形成された本体と、前記本体の上下の開口を覆うように前記側板の各上下にそれぞれ連接され且つ折り曲げ可能に設けられたフラップとが備えられ、
前記第１及び第２側板の境界線として、前記本体の対角位置にある２本の第１の縦折線と、前記対角位置とは別の対角位置にある２本の第２の縦折線とが設けられ、
前記第１側板には、その第１の縦折線から、前記第１または第２側板のうちの左右の幅寸法が小さい方の側板の当該幅寸法よりもさらに小さい所定間隔だけ離間した位置に、前記第１の縦折線と平行な補助縦折線が設けられていて、
前記本体の収容時用形状は、前記第１の縦折線と前記第２の縦折線とに基づいて折り曲げて四角筒形状に形成され、前記本体の保管時用形状は、前記収容時用形状に比べて扁平になるように、前記第１の縦折線と前記補助縦折線とに基づいて折り曲げて扁平四角筒形状に形成されることを特徴とする包装箱。
【請求項２】
前記保管時用形状の前記本体では、前記第１側板の前記補助縦折線から前記第２の縦折線までの領域と前記第２側板とが実質的に同一平面状に並ぶように折り曲げられることを特徴とする請求項１に記載の包装箱。
【請求項３】
前記各側板と上下のフラップの境界線として横折線が設けられ、前記各フラップには前記横折線よりも端部側に当該横折線と平行な補助横折線が設けられていて、
前記梱包部材を保管するときには、全てのフラップは前記補助横折線に基づいて、前記保管時用形状に形成された前記本体の内側に折り畳まれることを特徴とする請求項１または２に記載の包装箱。
【請求項４】
前記補助縦折線が設けられた前記第１側板の上下の前記横折線に沿って、前記第１の縦折線の位置から前記補助縦折線の位置まで切込部が設けられ、
前記補助縦折線が設けられた側板の上下に連接されたフラップには、前記補助縦折線の延長線上に沿って延びるフラップ用補助縦折線を介して連接された細幅舌片が設けられていて、
前記梱包部材を保管するときには、前記フラップ用補助縦折線に基づいて前記細幅舌片が折り畳まれた状態の前記フラップを、前記本体の内側に折り畳むことを特徴とする請求項３に記載の包装箱。
【請求項５】
前記補助縦折線が設けられた前記第１側板の上下に連接されたフラップには、前記補助縦折線の延長線と前記第１の縦折線の延長線との間が除去された除去部が設けられていることを特徴とする請求項３に記載の包装箱。
【請求項６】
前記本体の各開口には、前記フラップとして、対向配置された１対の内フラップと、この内フラップに隣接し且つ互いに対向配置された１対の外フラップとが備えられ、
前記物品を収容して前記本体の開口を前記フラップで覆うときには、前記内フラップが前記外フラップに覆われるように折り曲げられ、
前記細幅舌片または前記除去部は、前記１対の内フラップに設けられていることを特徴とする請求項４または５に記載の包装箱。
【請求項７】
前記収容時用形状の前記本体の内側には、シート状の緩衝素材を立体的に組み立てて形成された緩衝体が前記物品を保持するように収容され、
前記保管時用形状の前記本体の内側には、前記緩衝体が前記シート状の緩衝素材の状態に展開されて保管されることを特徴とする請求項１から６のいずれかに記載の包装箱。
【請求項８】
前記保管時用形状の前記本体の内側に収容された前記シート状の緩衝素材は、前記本体の内側に折り畳まれた前記フラップと前記側板との間に挟持されることを特徴とする請求項７に記載の包装箱。
【請求項９】
前記シート状の緩衝素材の平面積は、前記保管時用形状に形成された前記本体の内側に隠れる大きさに形成されていることを特徴とする請求項１から８のいずれかに記載の包装箱。
【発明の詳細な説明】
【技術分野】
【０００１】
本発明は、物品を収容する梱包部材を備える包装箱に関し、特に、物品が取り出された後に保管される包装箱に関するものである。
【背景技術】
【０００２】
従来、工場で生産した電子機器や精密機器のような各種物品は、ダンボール箱等の包装箱に物品が梱包されて出荷され、輸送される。そして、前記物品が購入者に購入されると、物品が取り出された後の包装箱は廃棄されていた。例えば、特許文献１には、ダンボール箱製の梱包部材に、古紙を再生したパルプモールド製の緩衝体で物品を覆って収納する包装箱が記載されており、包装箱を廃棄する時の環境への負荷を低減している。
【０００３】
ところが近年では、購入者が物品を使用していて故障した場合に、物品を工場等に送り返して修理がなされることが多いが、前記物品は精密な機器なので、簡易な梱包で工場に返送すると、返送途中で破損する虞がある。そのため、工場からの出荷当初の梱包部材や緩衝体をそのまま購入者に保管させておいて、工場への返送が必要になった場合には、前記出荷時の梱包部材や緩衝体によって物品を梱包して返送することが推奨されている。
【特許文献１】特開２００７−１３１３０７号公報（図１参照）
【発明の開示】
【発明が解決しようとする課題】
【０００４】
しかしながら、物品の購入者が、物品の修理に備えて梱包部材を保管しておく場合には、梱包部材を直方体の箱形状のままで置いておくと嵩高く場所を取るため、扁平に潰したりして保管されることが多い。特許文献１のような直方体の箱形状の梱包部材は、所謂ラップラウンドケースであるので、４つの側板と、各側板の上下にフラップが設けられており、物品を収納したときには、上方の４つのフラップが重なるように折り曲げられて天面が形成され、下方の４つのフラップが重なるように折り曲げられて底面が形成される。この梱包部材を、保管のために直方体の箱形状から嵩を減らした形状にするときには、例えば、図１０（ａ）に示すように、隣接する２つの側板５１，５１をほぼ面一に近づけるように変形させて薄く扁平な菱形形状にすることが多い。また、前記薄い菱形形状の内側に、さらに上下のフラップ５２を折り畳むと、平面積も減らすことができる。
【０００５】
ところが、フラップ５２を薄い菱形形状の梱包部材の内側に折り畳むと、図１０（ｂ）に示すように、フラップ５２が内側で斜めになるため、元の状態に復元しようとして折り曲げ角度が広がり易い。また、フラップ５２はそれが連接されている側板５１の幅寸法と略同じ幅寸法を有しているため、対向位置にあるフラップ同士を内側に折り畳む（折り込む）ときに、前述した薄い菱形形状における鋭角状の狭い隅部５３で、フラップ５２の隅部５３側の端部がぶつかり合う。そのため、梱包部材５０を薄い菱形形状に変形させようとしても、菱形形状の厚みが増す方向に膨れて扁平な状態に維持しにくく、保管時のコンパクト化に課題を有していた。
【０００６】
本発明は、上記課題を解消するものであって、物品を梱包するための梱包部材を備え、この梱包部材を物品が取り出された後もコンパクトに折り畳んで保管することができる包装箱の実現を目的とするものである。
【課題を解決するための手段】
【０００７】
前記目的を達成するために、請求項１に記載の発明における包装箱は、梱包対象である物品を収容するときの収容時用形状と、前記物品を収容せずに保管されるときの保管時用形状との間で、形状変更可能に構成された梱包部材を備える包装箱であって、前記梱包部材には、対向配置された１対の第１側板とこれらを繋ぐように対向配置された１対の第２側板とにより四角筒形状に形成された本体と、前記本体の上下の開口を覆うように前記側板の各上下にそれぞれ連接され且つ折り曲げ可能に設けられたフラップとが備えられ、前記第１及び第２側板の境界線として、前記本体の対角位置にある２本の第１の縦折線と、前記対角位置とは別の対角位置にある２本の第２の縦折線とが設けられ、前記第１側板には、その第１の縦折線から、前記第１または第２側板のうちの左右の幅寸法が小さい方の側板の当該幅寸法よりもさらに小さい所定間隔だけ離間した位置に、前記第１の縦折線と平行な補助縦折線が設けられていて、前記本体の収容時用形状は、前記第１の縦折線と前記第２の縦折線とに基づいて折り曲げて四角筒形状に形成され、前記本体の保管時用形状は、前記収容時用形状に比べて扁平になるように、前記第１の縦折線と前記補助縦折線とに基づいて折り曲げて扁平四角筒形状に形成されることを特徴とするものである。
【０００８】
また、請求項２に記載の発明は、請求項１に記載の包装箱において、前記保管時用形状の前記本体では、前記第１側板の前記補助縦折線から前記第２の縦折線までの領域と前記第２側板とが実質的に同一平面状に並ぶように折り曲げられることを特徴とするものである。
【０００９】
また、請求項３に記載の発明は、請求項１または２に記載の包装箱において、前記各側板と上下のフラップの境界線として横折線が設けられ、前記各フラップには前記横折線よりも端部側に当該横折線と平行な補助横折線が設けられていて、前記梱包部材を保管するときには、全てのフラップは前記補助横折線に基づいて、前記保管時用形状に形成された前記本体の内側に折り畳まれることを特徴とするものである。
【００１０】
また、請求項４に記載の発明は、請求項３に記載の包装箱において、前記補助縦折線が設けられた前記第１側板の上下の前記横折線に沿って、前記第１の縦折線の位置から前記補助縦折線の位置まで切込部が設けられ、前記補助縦折線が設けられた側板の上下に連接されたフラップには、前記補助縦折線の延長線上に沿って延びるフラップ用補助縦折線を介して連接された細幅舌片が設けられていて、前記梱包部材を保管するときには、前記フラップ用補助縦折線に基づいて前記細幅舌片が折り畳まれた状態の前記フラップを、前記本体の内側に折り畳むことを特徴とするものである。
【００１１】
また、請求項５に記載の発明は、請求項３に記載の包装箱において、前記補助縦折線が設けられた前記第１側板の上下に連接されたフラップには、前記補助縦折線の延長線と前記第１の縦折線の延長線との間が除去された除去部が設けられていることを特徴とするものである。
【００１２】
また、請求項６に記載の発明は、請求項４または５に記載の梱包部材の折畳構造において、前記本体の各開口には、前記フラップとして、対向配置された１対の内フラップと、この内フラップに隣接し且つ互いに対向配置された１対の外フラップとが備えられ、前記物品を収容して前記本体の開口を前記フラップで覆うときには、前記内フラップが前記外フラップに覆われるように折り曲げられ、前記細幅舌片または前記除去部は、前記１対の内フラップに設けられていることを特徴とするものである。
【００１３】
また、請求項７に記載の発明は、請求項１から６のいずれかに記載の包装箱において、前記収容時用形状の前記本体の内側には、シート状の緩衝素材を立体的に組み立てて形成された緩衝体が前記物品を保持するように収容され、前記保管時用形状の前記本体の内側には、前記緩衝体が前記シート状の緩衝素材の状態に展開されて保管されることを特徴とするものである。
【００１４】
また、請求項８に記載の発明は、請求項７に記載の包装箱において、前記保管時用形状の前記本体の内側に収容された前記シート状の緩衝素材は、前記本体の内側に折り畳まれた前記フラップと前記側板との間に挟持されることを特徴とするものである。
【００１５】
また、請求項９に記載の発明は、請求項１から８のいずれかに記載の包装箱において、前記シート状の緩衝素材の平面積は、前記保管時用形状に形成された前記本体の内側に隠れる大きさに形成されていることを特徴とするものである。
【発明の効果】
【００１６】
請求項１に記載の発明によれば、梱包部材を、梱包対象である物品を収容するときの収容時用形状にするときには、梱包部材の本体を、第１の縦折線と第２の縦折線とに基づいて折り畳んで四角筒形状とする。また、梱包部材を、物品を収容せずに保管するときの保管時用形状にするときには、梱包部材の本体を、前記収容時用形状に比べて扁平になるように、第１の縦折線と補助縦折線とに基づいて折り畳んで扁平四角筒形状とする。従って、扁平な保管時用形状は、収容時用形状に比べて、嵩が低くなるので、保管時の占有スペースを小さくすることができる。
【００１７】
また、梱包部材の本体に、収容時用形状から保管時用形状に形成するための補助縦折線をあらかじめ設けているので、梱包部材に破れ等を生じさせることなく容易に保管時用形状に変形させることができ、且つその形状を維持させ易い。
【００１８】
請求項２に記載の発明によれば、保管時用形状の本体では、第１側板の補助縦折線から第２の縦折線までの領域と第２側板とが実質的に同一平面状に並ぶように折り畳まれて、この第１側板の補助縦折線から第２の縦折線までの領域と第２側板とからなる広い平面同士が対向することで扁平な四角筒形状が形成される。
【００１９】
請求項３に記載の発明によれば、梱包部材を保管するときには、全てのフラップが、フラップと側板との境界線である横折線とこれに平行な補助横折線とに基づいて折り畳まれて、保管時用形状に形成された本体の内側に入れられる。つまり、フラップの根元近傍は、横折線と補助横折線とによって側面視コの字状に折り畳まれ、フラップの先端は本体の内側にて側板と平行状となる。そのため、フラップが元の状態に戻ろうとする力が生じ難くなり、保管時用形状に形成された本体が膨らんで嵩高くなる心配がない。
【００２０】
また、本体は扁平な四角筒形状に形成されていて、換言すれば、本体の内側に前記扁平な方向の一方端から他方端まで所定の間隔で延びる隙間が設けられているから、側面視コの字状のフラップを収納するための空間があらかじめ確保されている。従って、対向位置にあるフラップ同士が折り畳まれてもぶつかり難く、本体が膨らんで嵩高くなる心配がないので保管時の形状を維持し易い。
【００２１】
請求項４に記載の発明によれば、補助縦折線が設けられた側板の上下に連接されたフラップは、梱包部材を保管するときに、細幅舌片が折り畳まれて細幅に形成されてから、本体の内側に折り畳まれる。従って、本体の内側にフラップを折り畳むときに、第１の縦折線の近傍で、折り畳まれたフラップ同士がぶつかり合うことを回避でき、本体の内側に全部のフラップをすっきりと収納することができる。
【００２２】
請求項５に記載の発明によれば、補助縦折線が設けられた第１側板の上下のフラップには、補助縦折線の延長線と第１の縦折線の延長線との間が除去された除去部が設けられて細幅になっている。従って、本体の内側にフラップを折り畳むときに、第１の縦折線の近傍で、折り畳まれたフラップ同士がぶつかり合うことを回避でき、本体の内側に全部のフラップをすっきりと収納することができる。
【００２３】
請求項６に記載の発明によれば、物品を収容して本体の開口をフラップで覆うときには、内フラップが外フラップに覆われるように折り曲げられる。従って、内フラップに、フラップ用補助縦折線または除去部が設けられていても、物品の収容時には、内フラップは外フラップで隠されるから、美観を損なったり本体の開口が露出したりすることを回避できる。
【００２４】
請求項７に記載の発明によれば、物品は、緩衝体で保持されて梱包部材に収容されるため、輸送時等に受ける衝撃や荷重を緩衝させ、破損を防止することができる。そして、この緩衝体は、シート状の緩衝素材に展開されて、保管時用形状に形成された本体の内側に収容されるので、梱包部材と一緒にコンパクトに保管でき紛失する虞もない。そのため、物品を再び梱包部材に収容して輸送する必要が生じたときには、速やかにシート状の緩衝素材を緩衝体に組み立てて使用することが可能となる。
【００２５】
請求項８に記載の発明によれば、保管時用形状の本体の内側に収容されたシート状の緩衝素材は、本体の内側に折り畳まれたフラップと側板との間に挟持されるので、保管時用形状の梱包部材を持ち運ぶときに、シート状の緩衝素材の脱落を防止できる。特に、本体の内側に折り畳まれたフラップは横折線と補助横折線とによって、側面視コの字状に形成されているので、シート状の緩衝素材を載せて保持し易い。
【００２６】
請求項９に記載の発明によれば、シート状の緩衝素材の平面積は、保管時用形状に形成された本体の内側に隠れる大きさに形成されているから、シート状の緩衝素材を本体の内側に収容して保管しても、保管時の全体の平面積が拡大することを防止できる。
【発明を実施するための最良の形態】
【００２７】
以下に、本発明の包装箱の基本的な実施形態を、図面を用いて説明する。本実施形態の包装箱１００は、梱包部材１を備え、梱包対象である物品２として、電子機器の１つである画像記録装置（プリンタ装置、ファクシミリ装置、多機能の複合装置等）を収容し梱包している。物品２の使用状態における全体形状は、図９に示すように、幅寸法、奥行き寸法に比べて高さ寸法が短い略直方体形状を呈している。つまり、物品２の各面のうち、上面２ａと下面２ｂとが最も大きな面積を有している。
【００２８】
梱包部材１には、ダンボール箱が適用されていて、図１（ａ）に示すように、物品２に応じた直方体形状に組み立て可能に形成されており、その天面１ａが物品２の出し入れ時の開放面となっている。物品２は、梱包部材１に収容されるときには、上面２ａ及び下面２ｂを縦向きにし、且つ使用状態における前後の側板のうち、前面２ｃを梱包部材１の天面１ａ側に位置させている。画像記録装置である物品２には、その前面２ｃから挿抜される用紙カセット２ｅが備えられていて（図９参照、梱包時には、用紙カセット２ｅの中に、説明書等の付属品が収容されている。従って、物品２の前面２ｃを梱包部材１の天面１ａ側に向けて収容することで、梱包部材１の天面１ａを開放して物品２を取り出すときに、用紙カセット２ｅやその中の付属品が脱落することを防止できる。
【００２９】
物品２は、梱包部材１に収容された状態における上下左右の端部のうち、左右の端部の周囲が緩衝体３でそれぞれ覆われて保持されている。緩衝体３については後に詳述する。
【００３０】
梱包部材１は、所謂ラップラウンドケースであって、図２の展開図に示すように、２つの第１側板１１と２つの第２側板１２とが交互に配置されてそれぞれの左右が連接されている。連接端部に位置する第１側板１１の外側に糊代部１５が設けられていて、糊代部１５が反対側の連接端部の第２側板１２に固着され、本体１０が形成される。これにより、本体１０は、対向配置された１対の第１側板１１とこれらを繋ぐように対向配置された１対の第２側板１２とにより四角筒形状に形成される。
【００３１】
本体１０の上下の開口を覆うために、第１側板１１の上下に矩形状の内フラップ１３が、第２側板１２の上下に矩形状の外フラップ１４が、それぞれ連接されている。従って、本体の開口の周囲には、対向位置に１対の内フラップ１３が配置され、内フラップ１３に隣接し且つ互いに対向する位置に外フラップ１４が配置されている。各フラップ１３、１４と各側板１１、１２との境界線として、横折線２３が設けられている。また、横折線２３よりもフラップの端部側には横折線２３に平行な補助横折線２８が設けられている。
【００３２】
本体１０の開口を覆うときには、１対の内フラップ１３が横折線２３に基づいて先に折り曲げられて、その後に１対の外フラップ１４が横折線２３に基づいて折り曲げられるので、内フラップ１３は外フラップ１４に覆われる。このように、本体１０の上下の開口で、各フラップが重なって、梱包部材１の天面１ａ及び底面１ｂが形成される。
【００３３】
第１及び第２側板１１、１２のうち、第２側板１２が、物品の上面２ａ及び下面２ｂと対向するため、第１側板１１よりも大きな平面積に形成されている。つまり、第１及び第２側板の縦寸法をＨとすると、第２側板１２の幅寸法Ｗ２は第１側板１１の幅寸法Ｗ１よりも長くなっている。第１側板１１及び第２側板１２の境界線として、四角筒形状の対角位置に配置された第１の縦折線２１と、これとは別の対角位置に配置された第２の縦折線２２とが設けられている。なお、第１の側板１１を外方側から見て、右側に第１の縦折線２１が左側に第２の縦折線２２が配置されている。
【００３４】
第１及び第２縦折線２１、２２、横折線２３、補助横折線２８、後述する各種折線（補助縦折線２４、フラップ用補助縦折線２６）はいずれも、曲げ容易性が付与された罫線であり、ここでは梱包部材１の素材の厚みが半分程度になるように刻設した折線である。なお、各折線は梱包部材１の内側の面に形成されているが、図では便宜上、梱包部材１の外側に点線にて図示している場合もある。
【００３５】
この実施形態では、第１及び第２側板１１，１２のうち１対の第１側板１１には、図１（ｂ）及び図２に示すように、第１の縦折線２１と平行な補助縦折線２４が設けられている。第１の縦折線２１と補助縦折線２４との間隔Ｗ３は、もちろん第１側板１１の幅寸法Ｗ１よりも小さい。そして、第１側板１１とその上下に連接された内フラップ１３との境界線である横折線２３には、第１の縦折線２１の位置から補助縦折線２４の位置まで切込部２５が設けられている。また、内フラップ１３には、補助縦折線２４の延長線上に沿って延びるフラップ用補助縦折線２６が設けられていて、フラップ用補助縦折線２６と切込部２５とで囲まれた内フラップ１３の端部は、フラップ用補助縦折線２６に基づいて折り畳み可能な細幅舌片２９になっている。
【００３６】
収納時の物品２を覆う緩衝体３は、梱包部材１と同様のダンボール素材からなっていて、図４（ａ）、図４（ｂ）、図６（ａ）及び図６（ｂ）に示すように、物品２の端部を嵌め込むための凹部３４を有する直方体形状に形成されている。緩衝体３は、図５の展開図に示すような、穴部３１や折線３２、切断線３３が多数形成されているシート状の緩衝素材３０を、立体的に組み立てて形成されたものである。
【００３７】
緩衝体３は、折線３２や切断線３３に従って複数の折込片３５と凹部３４とが形成されるとともに、凹部３４に収容された物品２を梱包部材１の各側板１１，１２から所定の間隔をあけて保持し、緩衝性や強度を確保している。シート状の緩衝素材３０は、後述する保管時用形状に形成された本体１０の内側に隠れる大きさに形成されていて、幅寸法Ｗ４は（Ｗ２＋（Ｗ１−Ｗ３））よりも小さく、高さ寸法Ｈ１はＨよりも小さい（図７（ａ）参照）。なお、シート状の緩衝素材３０から緩衝体３を組み立てるときは、ロの字状に折り曲げて直方体形状が形成されるが、端部は接着剤で固着せずに、突片をスリット部に差し込む等の係止手段によって、組み立てと展開が自由に（破損なく）変更できるようにしている。
【００３８】
上記構成の梱包部材１は、物品２を収容して工場から出荷されるときには、図１（ｂ）に示すように、本体１０は、第１の縦折線２１と第２の縦折線２２とに基づいて折り畳まれた四角筒形状の収容時用形状に形成されている。この収容時用形状の本体１０の内部には、図１（ａ）に示すように、物品２が、立体的に組み立てられた緩衝体３に両端部を保持されて収容される。本体１０の天面１ａ、底面１ｂは、横折線２３に基づいて、内フラップ１３、外フラップ１４の順で折り曲げられて、閉じられている。つまり、収容時用形状に形成された梱包部材１は、高さ寸法Ｈ、間口寸法Ｗ２、奥行き寸法Ｗ１になるので、高さ寸法、Ｈ＝４５．１ｃｍ、間口寸法、Ｗ２＝５５．６ｃｍ、奥行き寸法、Ｗ１＝２５．３ｃｍ、のときには、その容量は、６３．４Ｌとなる。
【００３９】
購入者が物品２を購入すると、物品２が取り出された後の梱包部材１は、修理等で物品２を工場等に返却するときのために保管するよう推奨されている。そのため、保管時には、梱包部材１が、図３に示すように、第１の縦折線２１と補助縦折線２４とに基づいて折り畳まれ、本体１０を収容時用形状に形成したときよりも扁平な扁平四角筒形状に形成される。なお、実際には、素材がダンボール製であるため、素材の厚みや復元力等も作用するので、収容時用形状の本体１０は厳密な四角筒形状にならず、それに近似した形状となることもある。
【００４０】
保管時用形状の本体１０では、図３に示すように、第２側板１２と、第１側板１１の補助縦折線２４から第２の縦折線２２までの領域が略同一平面状に連続して大きな広幅面を構成し、この大きな広幅面同士が対向する。そして、この広幅面に交差する面として第１側板１１の第１の縦折線２１から補助縦折線２４までの領域が配置される。
【００４１】
また、本体１０の上下にそれぞれ設けられた内フラップ１３と外フラップ１４とを、横折線１２と補助横折線２８とに基づいて、収容時用形状の本体１０の内側に折り畳むことで、全体としての小型化が図られる。各フラップ１３，１４の根元近傍は横折線２３と補助横折線２８とによって、側面視コの字状になるため、フラップ１３，１４の先端は、本体１０の内側にて側板１１，１２と平行状となり、元の状態に復元しようとする力が弱く、折り畳まれた状態を維持し易い。そして、内フラップ１３は、フラップ用補助縦折線２６に基づいて折り畳まれる細幅舌片２９を有しているから、当初の幅寸法Ｗ１よりも細幅の幅寸法（Ｗ１−Ｗ３）にすることができ、この細幅の状態で本体１０の内側に折り畳まれる。
【００４２】
前述したように、保管時用形状の本体１０は、従来の菱形形状（図１０（ａ）参照）と異なり扁平四角筒形状であるから、本体１０の内側に略均一な間隔が扁平方向の一方端から他方端まで設けられていて、図１０（ａ）の菱形形状のような鋭角状の隅部が存在しない。つまり、本体１０の内側には、コの字状となった内フラップ１３と外フラップ１４とを折り畳むための十分な空間が確保されている。これに加えて、内フラップ１３は細幅になっていて、扁平四角筒形状の平面視での短辺部分にフラップが存在しないので、対向位置にある外フラップ１４と前記短辺部分でぶつかり合って、本体１０が膨らんでしまうことも回避できる。
【００４３】
なお、保管時用形状の本体１０の奥行き寸法となる、第１の縦折線２１と補助縦折線２４との間隔Ｗ３は、梱包部材１の素材の厚みや、剛性等を配慮しながら設定される。Ｗ３＝４．０とすると、高さ寸法、Ｈ＝４５．１ｃｍ、間口寸法、Ｗ２＋（Ｗ１−Ｗ３）＝２５．３＋（５５．６−４．０）＝７６．９ｃｍ、奥行き寸法、Ｗ３＝４．０ｃｍとなり、保管時用形状に形成された梱包部材１の容量は、１３．９Ｌとなる。つまり、梱包部材１を収容時用形状から保管時用形状に変形させることで、その容量を６３．４Ｌからその約１／５である１３．９Ｌに減らすことができ、大幅な省スペース化を図ることができる。
【００４４】
また、梱包部材１を保管しておくときには、図７（ａ）に示すように、２つの緩衝体３をそれぞれシート状の緩衝素材３０の状態に展開してから、本体１０の内側に収容して保管する。本体１０の内側には内フラップ１３と外フラップ１４とが折り畳まれているため図７（ｂ）に示すように、横折線２３と補助横折線２８とでコの字状に折り畳まれたフラップ１３（１４）が受け部になって、差し込まれたシート状の緩衝素材３０を側板１１（１２）とフラップ１３（１４）との間に挟持させることができる。これにより、シート状の緩衝素材３０が、本体１０からが脱落することを防止でき、返品時に必要となる梱包部材１と緩衝体３とを一緒に保管することができる。
【００４５】
上記第１実施形態の梱包部材１は様々に変形させることができる。図８（ａ）に示す第２実施形態では、内フラップ１３に、第１の縦折線２１から補助縦折線２４に対応する領域、つまり第１実施形態で折られた領域をあらかじめ除去して除去部２７を設けている。これにより、第１実施形態と同様の効果が得られる。内フラップ１３は、梱包部材１が物品２を収容するときには、内フラップ１３は外フラップ１４で覆われてしまうため（図１（ａ）参照））、除去部２７を設けて内フラップ１２に欠けがあっても、美観を損なったり本体１０の開口を露出させたりすることなく、天面１ａ及び底面１ｂを形成することができる。
【００４６】
また、図８（ｂ）に示す第３実施形態では、補助縦折線２４を第２側板１２に設けるとともに、フラップ用補助縦折線２６を外フラップ１４に設けている。この場合、保管時用形状の本体１０を収容時用形状よりも扁平に形成するために、補助縦折線２４と第１の縦折線２１との間隔Ｗ３を第１側板１１の幅寸法Ｗ１（第１または第２側板のうちの左右の幅寸法が小さい方の側板の当該幅寸法）よりも小さくすることが必要である。
【００４７】
また、図示していないが、第２実施形態と第３実施形態とを組み合わせて、第２側板１２の外フラップ１４に除去部２７を設けてもよい。また、第１〜第３実施形態では、第１側板１１の外方側から見た右側に第１の縦折線２１を設定したが、左側に第１の縦折線２１を設定し、この左側の第１の縦折線２１を基準に補助縦折線２４（切込部２５、フラップ用補助縦折線２６）を設けてもよい。さらに、補助横折線２８を省略して、横折線２３のみでフラップ１３，１４を本体１０の内側に折り畳む形態にしてもよい。
【００４８】
以上のように、本実施形態の包装箱１００によると、物品２を購入した購入者が、物品２が出荷されたときの梱包部材１を保管しておくときに、梱包部材１にあらかじめ設けられている補助縦折線２４に従って折り畳み方を変えることで、扁平な四角筒形状に変形させ、全体の容量の小さくすることができる。また、本体１０の上下に設けたフラップ１３，１４を本体１０の内側にすっきりと且つ元の状態へ膨らむことなく折り畳むことができるので、より一層全体のコンパクト化を図ることができる。さらに、この折り畳んだフラップ１３，１４によって、シート状に展開した緩衝体３を本体１０の内側に、脱落を防止して収納できるので、梱包部材１と緩衝体３とを一体化した持ち運びの利便性にも優れ、緩衝体３の紛失も防止できる。加えて、上述した本体１０の形状の変形は、単なる折り畳み方の変更であって破断や接着等は不要であるので、必要に応じて物品２を再び梱包部材１に収納する必要があるときには、上記変形の逆の手順で極めて簡単に元の形状に復元させることができる。そして、出荷時と同様に、物品２を安全且つ確実に輸送することが可能となる。
【００４９】
なお、上記実施形態では、物品２として画像記録装置を例示したが、これに限定するものではない。
【図面の簡単な説明】
【００５０】
【図１】（ａ）は梱包部材に物品を収容した状態の斜視図、（ｂ）は梱包部材から物品を取り出した後の状態の斜視図である。
【図２】梱包部材の展開図である。
【図３】保管時用形状の梱包部材であってフラップを折り畳む途中の状態を示す斜視図である。
【図４】（ａ）は梱包部材に物品を収容した状態の横断面図、（ｂ）は物品に一方の端部を緩衝体で覆った状態の部分的な斜視図である。
【図５】緩衝体を展開したシート状の緩衝素材の平面図である。
【図６】（ａ）は緩衝体を物品を収納する凹部側から見た斜視図、（ｂ）は緩衝体を物品を収納する側と反対側から見た斜視図である。
【図７】（ａ）はシート状の緩衝素材を保管時形状の梱包部材に収容した状態の側面図、（ｂ）は（ａ）のＶＩＩｂ−ＶＩＩｂ線矢視部分断面図である。
【図８】（ａ）は第２実施形態の梱包部材の斜視図、（ｂ）は第３実施形態の梱包部材の斜視図である。
【図９】物品として適用された画像記録装置の外観図である。
【図１０】（ａ）は従来の梱包部材を保管用に潰した状態を説明する斜視図、（ｂ）はフラップを内側に折り畳んだときの要部拡大断面図である。
【符号の説明】
【００５１】
１          梱包部材
２          物品
３          緩衝体
１０        本体
１１        第１側板
１２        第２側板
１３        内フラップ
１４        外フラップ
２１        第１の縦折線
２２        第２の縦折線
２３        横折線
２４        補助縦折線
２５        切込部
２６        フラップ用補助縦折線
２７        除去部
２８        補助横折線
２９        細幅舌片
３０        シート状の緩衝素材
１００      包装箱
【図１】
2009035273.tif 000003
【図２】
2009035273.tif 000004
【図３】
2009035273.tif 000005
【図４】
2009035273.tif 000006
【図５】
2009035273.tif 000007
【図６】
2009035273.tif 000008
【図７】
2009035273.tif 000009
【図８】
2009035273.tif 000010
【図９】
2009035273.tif 000011
【図１０】
2009035273.tif 000012